(57)【要約】【課題】広範囲の塗布作業のみならず、局所的な塗布作業にも適した塗布容器を提供する。【解決手段】内容物の収容空間Ｓを有する容器本体１０と、容器本体１０の口部１１に装着される塗布具２１付きのベースキャップ２０と、ベースキャップ２０を外側から覆うように配置されるカバー体３１、及びカバー体３１に対して着脱可能に保持される棒状塗布具３２を有するオーバーキャップ３０と、を備え、ベースキャップ２０は、収容空間Ｓから塗布具２１に向けた内容物流路Ｒを区画形成する筒状部２４を有し、塗布具２１は筒状部２４の側面に配置されており、棒状塗布具３２は、オーバーキャップ３０の閉状態において筒状部２４の内側に配置される塗布部３５を有することを特徴とする。【選択図】図１
2020196477.tif 000002
【特許請求の範囲】
【請求項１】
内容物の収容空間を有する容器本体と、
前記容器本体の口部に装着される塗布具付きのベースキャップと、
前記ベースキャップを外側から覆うように配置されるカバー体、及び前記カバー体に対して着脱可能に保持される棒状塗布具を有するオーバーキャップと、を備え、
前記ベースキャップは、前記収容空間から前記塗布具に向けた内容物流路を区画形成する筒状部を有し、前記塗布具は前記筒状部の側面に配置されており、
前記棒状塗布具は、前記オーバーキャップの閉状態において前記筒状部の内側に配置される塗布部を有することを特徴とする塗布容器。
【請求項２】
前記棒状塗布具の前記塗布部の外表面には、内容物を貯留可能な凹部が設けられている、請求項１に記載の塗布容器。
【請求項３】
前記塗布具は、櫛状塗布具である、請求項１または２に記載の塗布容器。
【請求項４】
前記棒状塗布具は、前記オーバーキャップの閉状態において前記内容物流路を閉塞するように構成されている、請求項１〜３の何れか一項に記載の塗布容器。
【請求項５】
前記筒状部の上端部に、前記オーバーキャップが取り外された状態で前記筒状部の上端開口を閉塞する弁体が設けられており、
前記弁体は、前記棒状塗布具を挿入可能に構成されている、請求項１〜４の何れか一項に記載の塗布容器。
【発明の詳細な説明】
【技術分野】
【０００１】
本発明は、塗布容器に関する。
【背景技術】
【０００２】
従来、容器本体に収納されたヘアマニキュアや白髪染め液の内容物を毛髪に塗布し易くするために、櫛状の塗布具を備えたキャップを容器本体の口部に装着した塗布容器が知られている。
【０００３】
例えば、特許文献１には、胴部がスクイズ変形可能な可撓性を有する容器本体と、容器本体の口部に装着される櫛状塗布具付きのキャップとを備えた塗布容器が開示されている。この塗布容器によれば、胴部をスクイズして櫛状塗布具の櫛歯片の間のスペースに内容物を吐出しつつ、櫛状塗布具で髪を梳かすようにすることで、毛髪に毛染め剤等の内容物を塗布することができる。
【先行技術文献】
【特許文献】
【０００４】
【特許文献１】特開２０１８−１０８１４５号公報
【発明の概要】
【発明が解決しようとする課題】
【０００５】
ところで、上記のような櫛状塗布具付きの塗布容器を用いることで、毛髪に効率よく内容物を塗布することが可能となる。しかしながら、上記の塗布容器では、例えば、毛先等の細かい部分のみに内容物を塗布することは困難であった。
【０００６】
それゆえ本発明は、広範囲の塗布作業のみならず、局所的な塗布作業にも適した塗布容器を提供することを目的とする。
【課題を解決するための手段】
【０００７】
本発明は、上記課題を解決するためになされたものであり、本発明の塗布容器は、内容物の収容空間を有する容器本体と、
前記容器本体の口部に装着される塗布具付きのベースキャップと、
前記ベースキャップを外側から覆うように配置されるカバー体、及び前記カバー体に対して着脱可能に保持される棒状塗布具を有するオーバーキャップと、を備え、
前記ベースキャップは、前記収容空間から前記塗布具に向けた内容物流路を区画形成する筒状部を有し、前記塗布具は前記筒状部の側面に配置されており、
前記棒状塗布具は、前記オーバーキャップの閉状態において前記筒状部の内側に配置される塗布部を有することを特徴とするものである。
【０００８】
なお、本発明の塗布容器にあっては、前記棒状塗布具の前記塗布部の外表面には、内容物を貯留可能な凹部が設けられていることが好ましい。
【０００９】
また、本発明の塗布容器にあっては、前記塗布具は、櫛状塗布具であることが好ましい。
【００１０】
また、本発明の塗布容器にあっては、前記棒状塗布具は、前記オーバーキャップの閉状態において前記内容物流路を閉塞するように構成されていることが好ましい。
【００１１】
また、本発明の塗布容器にあっては、前記筒状部の上端部に、前記オーバーキャップが取り外された状態で前記筒状部の上端開口を閉塞する弁体が設けられており、
前記弁体は、前記棒状塗布具を挿入可能に構成されていることが好ましい。
【発明の効果】
【００１２】
本発明によれば、広範囲の塗布作業のみならず、局所的な塗布作業にも適した塗布容器を提供することができる。
【図面の簡単な説明】
【００１３】
【図１】本発明に係る一実施形態としての塗布容器について一部断面で示した側面図である。
【図２】図１に示す塗布容器からオーバーキャップを取り外した様子を示す側面図である。
【図３】図２のＡ−Ａ線における塗布容器の断面を示す断面図である。
【図４】図１に示す塗布容器のオーバーキャップを示す側面図である。
【図５】図１に示す塗布容器から棒状塗布具を取り外した状態を示す側面図である。
【発明を実施するための形態】
【００１４】
以下、図面を参照し、本発明の一実施形態について説明する。本実施形態に係る塗布容器１は、内容物の収容空間Ｓを有する容器本体１０と、容器本体１０の口部１１に装着される塗布具（本例では櫛状塗布具）２１付きのベースキャップ２０と、ベースキャップ２０を外側から覆うオーバーキャップ３０とを備える。
【００１５】
本例の容器本体１０、ベースキャップ２０、及びオーバーキャップ３０は、それぞれの中心軸線が共通軸上に配置されている。本実施形態では、この共通軸を容器軸Ｏといい、容器軸Ｏに沿う方向を上下方向という。また、上下方向に沿って、容器本体１０に対してベースキャップ２０が位置する側を上方といい、その反対側（ベースキャップ２０に対して容器本体１０が位置する側）を下方という。また、上下方向から見た平面視で、容器軸Ｏに交差する方向を径方向といい、容器軸Ｏ回りに周回する方向を周方向という。
【００１６】
本例の容器本体１０は、円筒状の口部１１と、口部１１の下方に連なる筒状の胴部１２と、胴部１２の下端部を閉塞する底部１３とを有し、その内部が収容空間Ｓとなっている。口部１１の外周面には雄ねじ１１ａが設けられている。
【００１７】
胴部１２は円筒状であり、スクイズ（圧搾）可能な可撓性を有する。なお、容器本体１０の形状は図示例に限定されず、適宜変更可能である。底部１３は、図１に示す正立姿勢で塗布容器１を水平な面に載置することができるように構成されている。
【００１８】
ベースキャップ２０は、口部１１の外周側に保持される装着筒部２２と、装着筒部２２の上端部から径方向内側に延びる環状壁部２３と、環状壁部２３の内周縁部から上方に立設する筒状部２４と、を有する。本例の筒状部２４の側面には塗布具としての櫛状塗布具２１が配置されている。筒状部２４の側面に設ける塗布具は、本例のような櫛状塗布具２１に限られるものではなく、適宜変更可能である。例えば、多数の毛状突起を有するブラシ状の塗布具、またはスポンジ等の含浸体としてもよいし、あるいは、櫛状塗布具、ブラシ状塗布具、及び含浸体の何れか２つ以上を組み合わせた複合的な構成の塗布具としてもよい。複合的な塗布具の構成としては、例えば、櫛状塗布具２１の隣接する櫛歯片２１ｂの間にスポンジ等の含浸体を設けた構成、または、櫛歯片２１ｂ自体をスポンジ等の含浸体で形成した構成とすることができる。装着筒部２２の内周面には、口部１１の雄ねじ１１ａに螺合する雌ねじ２２ａが設けられている。また、装着筒部２２の外周面には、オーバーキャップ３０の雌ねじ３１ｃに螺合する雄ねじ２２ｂが設けられている。また、環状壁部２３の下面には、口部１１の内周面に当接するシール筒部２３ａが設けられている。
【００１９】
筒状部２４は、収容空間Ｓから櫛状塗布具２１に向けた内容物流路Ｒを区画形成する。つまり、筒状部２４の内側は、収容空間Ｓに連通する内容物流路Ｒとなっている。筒状部２４の内側には、隔壁２５が設けられており、隔壁２５には隔壁孔２６が形成されている。図１に示すように、容器本体１０にベースキャップ２０が装着され、ベースキャップ２０にオーバーキャップ３０が装着された閉状態においては、棒状塗布具３２が隔壁孔２６に挿入されて、内容物流路Ｒを閉塞する。オーバーキャップ３０を取り外した状態では、隔壁孔２６が開放され、収容空間Ｓから内容物流路Ｒを通って内容物が櫛状塗布具２１まで移動可能となる。なお、図２に示すように、オーバーキャップ３０を取り外した状態において、筒状部２４の上端開口は、弁体４０によって閉塞される。
【００２０】
図２、３に示すように、筒状部２４の外周面には、櫛状塗布具２１を嵌合保持するための櫛保持部２７が設けられている。また、櫛保持部２７には、筒状部２４の外周面（側面）を貫通するとともに内容物流路Ｒに連通する第１通路２８ａ及び第２通路２８ｂが形成されている。第１通路２８ａ及び第２通路２８ｂはともに隔壁２５よりも上方に位置している。なお、本例では櫛保持部２７に２つの通路（第１通路２８ａ及び第２通路２８ｂ）を設けているが、これに限られず、例えば第１通路２８ａと第２通路２８ｂとを連結した１つの通路のみとしてもよいし、３つ以上の通路を設けてもよく、その形状も適宜変更可能である。
【００２１】
櫛状塗布具２１は、櫛保持部２７に嵌合保持される嵌合部２１ａと、嵌合部２１ａから突出する複数の櫛歯片２１ｂとを有する。本例では、図２、３に示すように、上下に間隔を空けて配列された櫛歯片２１ｂの列が、左右に１列ずつ設けられている。櫛状塗布具２１は、筒状部２４の側面に横向きに配置されている。これにより櫛歯片２１ｂは、嵌合部２１ａ側の基端部から先端部に向けて、筒状部２４の径方向外側に延在している。
【００２２】
嵌合部２１ａには、胴部１２をスクイズすることにより収容空間Ｓから内容物流路Ｒを通過して送出された内容物を、各櫛歯片２１ｂの隙間に送出するための送出孔２１ｃが形成されている。送出孔２１ｃは、第１通路２８ａ及び第２通路２８ｂに連通している。
【００２３】
筒状部２４の上端部には、筒状部２４の上端開口を閉塞するとともに棒状塗布具３２を挿入可能な弁体４０が設けられている。また、筒状部２４には、弁体４０を抜け止め保持するための筒状の保持筒４１が設けられている。保持筒４１は、弁体４０の上方に位置し、弁体４０の上方への抜け出しを抑制している。保持筒４１は、棒状塗布具３２を挿入可能に構成されている。
【００２４】
本例の弁体４０は、筒状部２４の内側に配置されたスリット弁であり、下方から上方への弁体４０を通した内容物の移動を阻止することができる。これにより、図２に示すようにベースキャップ２０からオーバーキャップ３０を取り外した状態において、容器本体１０の胴部１２をスクイズした際には、筒状部２４の上端開口（保持筒４１の開口）からの内容物の流出が抑制され、櫛状塗布具２１に内容物が送出される。具体的に、図２に示す状態で胴部１２をスクイズすると、収容空間Ｓの内容物が内容物流路Ｒ、第１通路２８ａ、第２通路２８ｂ、及び送出孔２１ｃを通って櫛状塗布具２１の櫛歯片２１ｂ間に送出され、貯留される。弁体４０は、例えば、弾性変形可能な平面視で円形の膜状部に、棒状塗布具３２が挿入される間のみ開くように構成された十字状または直線状のスリットが形成された構造とすることができるが、これに限定されない。
【００２５】
オーバーキャップ３０は、ベースキャップ２０に対して着脱可能に装着される。オーバーキャップ３０は、ベースキャップ２０を外側から覆うように配置されるカバー体３１と、カバー体３１に対して着脱可能に保持される棒状塗布具３２とを有する。
【００２６】
カバー体３１は、ベースキャップ２０を外側から覆うように、ベースキャップ２０に対して着脱可能に装着される。図４にも示すように、カバー体３１は、筒状の周壁３１ａと、周壁３１ａの上方に位置する塗布具装着部３１ｂとを有する。周壁３１ａは円筒状であり、容器本体１０の胴部１２と略同一の直径となるように構成されている。周壁３１ａの内周面には、ベースキャップ２０の雄ねじ２２ｂに螺合する雌ねじ３１ｃが設けられている。
【００２７】
塗布具装着部３１ｂは、周壁３１ａの上方に一体に連なっており、また、周壁３１ａよりも直径が小さい円筒状となっている。塗布具装着部３１ｂには、棒状塗布具３２の雄ねじ３３ａに螺合する雌ねじ３１ｄが設けられている。塗布具装着部３１ｂの上方から棒状塗布具３２を挿入し、雄ねじ３３ａと雌ねじ３１ｄを螺合させることで、カバー体３１に棒状塗布具３２を装着することができる。カバー体３１から棒状塗布具３２を取り外す際には、棒状塗布具３２を回して雄ねじ３３ａと雌ねじ３１ｄとを螺脱させ、棒状塗布具３２を上方に引き上げる。
【００２８】
棒状塗布具３２は、塗布具装着部３１ｂに着脱可能に保持される取付け部３３と、取付け部３３から突出し、直線状に延在する円柱状の軸部３４とを有し、軸部３４の先端部に塗布部３５が設けられている。塗布部３５は、図１に示すオーバーキャップ３０の閉状態において、筒状部２４の内側（内容物流路Ｒ）に配置される。このような構成により、図１に示すオーバーキャップ３０の閉状態において、収容空間Ｓ内の内容物を塗布部３５に付着させることができる。
【００２９】
取付け部３３は、雄ねじ３３aが設けられた周壁３３ｂと、周壁３３ｂの下端部を閉塞する底壁３３ｃとを有する有底円筒状である。周壁３３ｂの上端部には、外向きフランジ３３ｄが設けられている。外向きフランジ３３ｄは、塗布具装着部３１ｂよりも直径が大きくなっている。これにより、塗布具装着部３１ｂよりも外向きフランジ３３ｄが径方向外側に突出するため、カバー体３１に対して棒状塗布具３２を着脱する際に、外向きフランジ３３ｄを把持することで着脱し易くなる。
【００３０】
棒状塗布具３２の塗布部３５の外表面には、内容物を貯留可能な凹部３６が設けられている。これにより、塗布部３５に適度な量の内容物を付着させることができる。本例の凹部３６は、棒状塗布具３２の周方向に延在する周溝で構成されているが、これに限定されず、例えば周方向の一部に設けられた窪みでもよいし、軸部３４の延在方向に平行な縦溝状であってもよい。また、塗布部３５は、図示例のような形状に限られるものではなく、筒状部２４の内側に挿入可能なものであれば適宜変更可能である。塗布部３５としては、例えば、多数の塗布毛を有するブラシ状、複数の櫛歯片を有する櫛状、スポンジ等の含浸体等でもよいし、あるいは、ブラシ状塗布部、櫛状塗布部、及び含浸体の何れか２つ以上を組み合わせた複合的な構成としてもよい。
【００３１】
次に、塗布容器１の使用方法について説明する。塗布容器１は、用途に応じて２種類の方法で内容物を塗布することができる。
【００３２】
１つ目の使用方法は、櫛状塗布具２１を利用して内容物を塗布する方法であり、この方法は比較的広範囲に内容物を塗布する場合に適している。具体的には、図１に示す閉状態から、オーバーキャップ３０を取り外して図２に示す状態とし、胴部１２をスクイズして櫛状塗布具２１に内容物を送出する。胴部１２をスクイズすると、収容空間Ｓ内の内容物は、隔壁孔２６を含む内容物流路Ｒ、第１通路２８ａ、第２通路２８ｂ、及び送出孔２１ｃを通って櫛状塗布具２１の櫛歯片２１ｂ間の空間に送出される。そして、櫛状塗布具２１で毛髪を梳かすようにすることで、内容物を毛髪に効率よく塗布することができる。なお、胴部１２へのスクイズを解除すると胴部１２は元の形状に復元するが、この時、櫛状塗布具２１の櫛歯片２１ｂ間に貯留されていた内容物は、送出孔２１ｃ及び第１通路２８ａ、第２通路２８ｂを通って内容物流路Ｒ及び収容空間Ｓ側に引き戻される（サックバックする）。これにより、櫛状塗布具２１に内容物が残留し難くなるため清潔な使用が可能となり、また、送出孔２１ｃ、第１通路２８ａ、及び第２通路２８ｂ等に内容物が詰まることによる吐出不良を防止することができる。
【００３３】
２つ目の使用方法は、棒状塗布具３２を利用して内容物を塗布する方法であり、この方法は毛先等の細かい部分（小さい範囲）のみに内容物を塗布する場合に適している。具体的には、図１に示す閉状態の塗布容器１から、棒状塗布具３２のみを取り外して、塗布部３５に付着させた内容物を毛先等の被塗付部分に塗布する。本例では、棒状塗布具３２の外向きフランジ３３ｄを把持して、カバー体３１に対して螺脱方向に回転させることで、カバー体３１から棒状塗布具３２のみを取り外すことができる。なお、棒状塗布具３２を取り外す前に、図１に示す閉状態で予め塗布容器１を傾けたり、振ったりすること等により、塗布部３５に内容物を適度に付着させておくことが好ましい。
【００３４】
以上説明したように、本実施形態の塗布容器１にあっては、櫛状塗布具２１を用いることで、比較的広い範囲にわたって効率的に内容物を塗布することができ、また、棒状塗布具３２を用いることで、毛先等の小さい範囲にも容易に内容物を塗布することができる。このように、本実施形態の塗布容器１は、広範囲の塗布作業のみならず、局所的な塗布作業にも適している。
【００３５】
また、本実施形態の塗布容器１にあっては、カバー体３１をベースキャップ２０に装着したままの状態で、棒状塗布具３２のみを取り外すことができるように構成されている。これにより、棒状塗布具３２を用いて内容物を塗布している間も、図５に示すように櫛状塗布具２１はカバー体３１で覆われた状態となる。したがって、本実施形態の塗布容器１にあっては、棒状塗布具３２を使用している間に、櫛状塗布具２１に埃等のごみが付着したり、外部との接触により櫛状塗布具２１が破損したりすること等を防止することができる。
【００３６】
また、本実施形態の塗布容器１にあっては、図１に示す閉状態において、棒状塗布具３２が隔壁孔２６を塞ぐことにより内容物流路Ｒを閉塞する構成としている。これにより、非使用時における内容物の漏出（液漏れ）をより確実に抑制することができる。なお、本例では、図１に示す閉状態において、保持筒４１の上端面に、棒状塗布具３２の取付け部３３の底壁３３ｃの下面が当接することでシール性を高めている。これにより、非使用時における液漏れ抑制効果を高めることができる。
【００３７】
なお、本発明の技術的範囲は前記実施の形態に限定されるものではなく、本発明の趣旨を逸脱しない範囲において種々の変更を加えることが可能である。例えば、上記実施形態の塗布容器１においては、オーバーキャップ３０がベースキャップ２０に装着される構成としているが、オーバーキャップ３０が容器本体１０に装着される構成としてもよい。また、上記実施形態では、容器本体１０に対してベースキャップ２０がねじ部により螺着される構成としているが、容器本体１０とベースキャップ２０の間に上下方向に係合（アンダーカット係合）する凸部を設けて、打栓等により装着する構成としてもよい。また、ベースキャップ２０に対するオーバーキャップ３０の装着手段もねじ部に限らず、ベースキャップ２０とオーバーキャップ３０の間に、上下方向にアンダーカット係合する凸部を設けた構成としてもよい。さらに、カバー体３１に対する棒状塗布具３２の装着手段も、ねじ部に限らず、カバー体３１と棒状塗布具３２の間に、上下方向にアンダーカット係合する凸部を設けた構成としてもよい。
【符号の説明】
【００３８】
１：塗布容器
１０：容器本体
１１：口部
１１ａ：雄ねじ
１２：胴部
１３：底部
２０：ベースキャップ
２１：櫛状塗布具
２１ａ：嵌合部
２１ｂ：櫛歯片
２１ｃ：送出孔
２２：装着筒
２２ａ：雌ねじ
２２ｂ：雄ねじ
２３：環状壁部
２３ａ：シール筒部
２４：筒状部
２５：隔壁
２６：隔壁孔
２７：櫛保持部
２８ａ：第１通路
２８ｂ：第２通路
３０：オーバーキャップ
３１：カバー体
３１ａ：周壁
３１ｂ：塗布具装着部
３１ｃ：雌ねじ
３１ｄ：雌ねじ
３２：棒状塗布具
３３：取付け部
３３ａ：雄ねじ
３３ｂ：周壁
３３ｃ：底壁
３３ｄ：外向きフランジ
３４：軸部
３５：塗布部
３６：凹部
４０：逆止弁
４１：保持筒
Ｏ：容器軸
Ｒ：内容物の流路
Ｓ：収容空間
【図１】
2020196477.tif 000003
【図２】
2020196477.tif 000004
【図３】
2020196477.tif 000005
【図４】
2020196477.tif 000006
【図５】
2020196477.tif 000007